(57)【要約】  コントラスト比の向上による画質向上を図る。このため固体光源（ＡＲ）を用いた光源装置を備えたプロジェクタ装置において、少なくとも固体光源の温度を上昇させる状態とすることができる温度調整装置（１９０）を備える。そして判定部（１２）は画像の輝度状態を判定し、制御部（１６）は判定結果に基づいて温度調整装置（１９０）を制御することで、固体光源（ＡＲ）の熱状態を制御する。特に画像に応じて、固体光源（ＡＲ）を高温化させることで発光効率を低下させ、輝度を低下させる。
2018008246.tif 000002
【特許請求の範囲】
【請求項１】
固体光源を用いた光源装置と、  少なくとも前記固体光源の温度を上昇させる状態とすることができる温度調整装置と、  画像の輝度状態を判定する判定部と、  前記判定部の判定結果に基づいて前記温度調整装置を制御する制御部と、を備えた  プロジェクタ装置。
【請求項２】
前記光源装置から発せられる光を用いて画像を生成する画像生成ユニットと、  前記画像生成ユニットで生成された画像を投射する投射ユニットと、を備え、  前記制御部は、前記判定部による、投射する画像として前記画像生成ユニットで生成する画像の輝度状態の判定結果に基づいて前記温度調整装置を制御する  請求項１に記載のプロジェクタ装置。
【請求項３】
前記制御部は、画像が低輝度画像であると前記判定部により判定された場合に、前記温度調整装置を、前記固体光源の温度を上昇させる状態とするように制御する  請求項１に記載のプロジェクタ装置。
【請求項４】
前記判定部は、画像が全黒画像である場合に、低輝度画像と判定する  請求項３に記載のプロジェクタ装置。
【請求項５】
前記制御部は、画像が少なくとも低輝度画像ではないと前記判定部により判定された場合に、前記温度調整装置を、前記固体光源の温度を低下させる状態とするように制御する  請求項１に記載のプロジェクタ装置。
【請求項６】
前記制御部は、画像が全白画像と前記判定部により判定された場合に、前記温度調整装置を、前記固体光源の温度を低下させる状態とするように制御する  請求項１に記載のプロジェクタ装置。
【請求項７】
前記判定部は、投射画像を生成するための画像信号のフレーム単位で、画像の輝度状態を判定する  請求項１に記載のプロジェクタ装置。
【請求項８】
前記制御部は、前記固体光源の温度状態を検出する温度センサの検出出力に基づいて、前記温度調整装置の動作を制御する  請求項１に記載のプロジェクタ装置。
【請求項９】
前記制御部は、前記画像生成ユニット又は前記投射ユニットに配置された輝度センサによって検出した照明光又は投射光の輝度の検出出力に基づいて、前記温度調整装置の動作を制御する  請求項２に記載のプロジェクタ装置。
【請求項１０】
前記温度調整装置の１つとして、前記固体光源を加熱する電熱コイルが設けられる  請求項１に記載のプロジェクタ装置。
【請求項１１】
前記温度調整装置の１つとして、前記固体光源に対応するヒートシンクを、前記固体光源からの熱伝導を低下させるように移動させるヒートシンク駆動部を備える  請求項１に記載のプロジェクタ装置。
【請求項１２】
固体光源を用いた光源装置を備えるプロジェクタ装置の制御方法として、  画像の輝度状態を判定し、  前記判定の判定結果に基づいて、少なくとも前記固体光源の温度を上昇させる状態とすることができる温度調整装置を制御する  制御方法。
【発明の詳細な説明】
【技術分野】
【０００１】  本技術はプロジェクタ装置とその制御方法に係り、特に固体光源を用いたプロジェクタ装置についての技術分野に関する。
【背景技術】
【０００２】  近年、プロジェクタ装置として光源にレーザダイオード（Laser Diode：ＬＤ）や発光ダイオード（Light Emitting Diode：ＬＥＤ）等の固体光源が用いられている。特許文献１には固体光源を用いたプロジェクタ装置が開示されている。  また固体光源の場合、温度状態により発光効率が変動することが知られている。
【先行技術文献】
【特許文献】
【０００３】
【特許文献１】特開２０１４−２３８４８５号公報
【発明の概要】
【発明が解決しようとする課題】
【０００４】  ところでプロジェクタ装置の性能の指標の１つとしてコントラスト比がある。特に全画面黒表示（全黒画像）の状態と全画面白表示（全白画像）の状態が何倍の輝度差で表示できるかという数値としてダイナミックコントラスト比も一般に使用されている。  コントラスト比は画質に大きく影響を与えるため、コントラスト比の向上はプロジェクタ装置において強く求められている。  そこで本開示では、プロジェクタ装置においてコントラスト比を改善し画質向上を実現する技術を提案する。
【課題を解決するための手段】
【０００５】  本技術に係るプロジェクタ装置は、固体光源を用いた光源装置と、少なくとも前記固体光源の温度を上昇させる状態とすることができる温度調整装置と、画像の輝度状態を判定する判定部と、前記判定部の判定結果に基づいて前記温度調整装置を制御する制御部とを備える。  温度調整装置は少なくとも固体光源の温度上昇を促進、もしくは固体光源自体の温度上昇を許容する状態にすることができるものとする。また固体光源の温度を上昇させる状態とするということは、温度が下降する状況において加温等を行い結果的に温度を保持するようにする状態も含む。つまり温度調整装置は固体光源の温度の上昇又は温度の保持を実現できる装置である。そして投射する画像の輝度状態が所定状態であるときには、固体光源の温度を上昇させ、発光効率を低下させる。【０００６】  上記した本技術に係るプロジェクタ装置においては、前記光源装置から発せられる光を用いて画像を生成する画像生成ユニットと、前記画像生成ユニットで生成された画像を投射する投射ユニットと、を備え、前記制御部は、前記判定部による、投射する画像として前記画像生成ユニットで生成する画像の輝度状態の判定結果に基づいて前記温度調整装置を制御することが考えられる。  画像生成ユニットにおいて生成される画像に対して固体光源からの出射光を照射し投射光を生成する構造とする場合において、投射する画像の輝度状態が所定状態であるときには、固体光源の温度を上昇させ、発光効率を低下させる。【０００７】  上記した本技術に係るプロジェクタ装置においては、前記制御部は、画像が低輝度画像であると前記判定部により判定された場合に、前記温度調整装置を、前記固体光源の温度を上昇させる状態とするように制御することが考えられる。  即ち低輝度の画像の場合に固体光源の温度を上昇させ、発光効率を低下させる。【０００８】  上記した本技術に係るプロジェクタ装置においては、前記判定部は、画像が全黒画像である場合に、低輝度画像と判定することが考えられる。  即ち全黒画像の場合に固体光源の温度を上昇させ、発光効率を低下させる。【０００９】  上記した本技術に係るプロジェクタ装置においては、前記制御部は、画像が少なくとも低輝度画像ではないと前記判定部により判定された場合に、前記温度調整装置を、前記固体光源の温度を低下させる状態とするように制御することが考えられる。  即ち低輝度の画像ではない場合に固体光源の温度上昇を回避させ、発光効率を上昇させる。【００１０】  上記した本技術に係るプロジェクタ装置においては、前記制御部は、画像が全白画像と前記判定部により判定された場合に、前記温度調整装置を、前記固体光源の温度を低下させる状態とするように制御することが考えられる。  即ち全白画像の場合に固体光源の温度上昇を回避させ、発光効率を上昇させる。【００１１】  上記した本技術に係るプロジェクタ装置においては、前記判定部は、投射画像を生成するための画像信号のフレーム単位で、画像の輝度状態を判定することが考えられる。  画像信号の各フレーム、又は間欠的なフレームとして、フレーム単位で輝度信号値（階調値）を解析し、そのフレームの画像が低輝度画像であるか否かを判定する。【００１２】  上記した本技術に係るプロジェクタ装置においては、前記制御部は、前記固体光源の温度状態を検出する温度センサの検出出力に基づいて、前記温度調整装置の動作を制御することが考えられる。  固体光源の温度を検出し、現在の固体光源の温度に応じて、発光効率の維持・上昇・低下のために適切な温度調整を実行する。【００１３】  上記した本技術に係るプロジェクタ装置においては、前記制御部は、前記画像生成ユニット又は前記投射ユニットに配置された輝度センサによって検出した照明光又は投射光の輝度の検出出力に基づいて、前記温度調整装置の動作を制御することが考えられる。  照明光又は投射光の輝度を検出し、現在の輝度に応じて、発光効率の維持・上昇・低下のために適切な温度調整を実行する。【００１４】  上記した本技術に係るプロジェクタ装置においては、前記温度調整装置の１つとして、前記固体光源を加熱する電熱コイルが設けられることが考えられる。  電熱コイルにより固体光源を加熱し、固体光源の発光効率を低下させる。【００１５】  上記した本技術に係るプロジェクタ装置においては、前記温度調整装置の１つとして、前記固体光源に対応するヒートシンクを、前記固体光源からの熱伝導を低下させるように移動させるヒートシンク駆動部を備えることが考えられる。  即ちヒートシンクを移動させて、ヒートシンクへの熱伝導効率を制御する。【００１６】  本技術に係る制御方法は、固体光源を用いた光源装置を備えるプロジェクタ装置の制御方法である。画像の輝度状態を判定し、判定結果に基づいて、少なくとも前記固体光源の温度を上昇させる状態とすることができる温度調整装置を制御する。  即ち投射する画像の輝度状態が所定状態であるときには、温度調整装置により固体光源の温度を上昇させ、発光効率を低下させる。
【発明の効果】
【００１７】  本技術によれば画像の輝度状態の判定結果に基づいて、固体光源の温度状態を制御することで、画像に応じて固体光源の発光効率を調整できる。従って暗い画像では発光効率を下げる等を行うことで、コントラスト比を向上させることができ、画質向上を実現できる。  なお、ここに記載された効果は必ずしも限定されるものではなく、本開示中に記載されたいずれかの効果であってもよい。
【図面の簡単な説明】
【００１８】
【図１】本技術の実施の形態のプロジェクタ装置の説明図である。
【図２】実施の形態のプロジェクタ装置の光源装置の斜視図である。
【図３】実施の形態の光源装置の内部構造の説明図である。
【図４】実施の形態の光源装置の光の出射の説明図である。
【図５】第１の実施の形態の制御構成のブロック図である。
【図６】時間経過に伴うダイナミックコントラスト低下の説明図である。
【図７】実施の形態の電熱コイルによる温度調整の説明図である。
【図８】実施の形態のファンによる温度調整の説明図である。
【図９】実施の形態のヒートシンク離接による温度調整の説明図である。
【図１０】第１の実施の形態の制御処理のフローチャートである。
【図１１】第２の実施の形態の制御構成のブロック図である。
【図１２】第２、第３、第４の実施の形態の制御処理のフローチャートである。
【図１３】第３の実施の形態の制御構成のブロック図である。
【図１４】第４の実施の形態の制御構成のブロック図である。
【図１５】第５の実施の形態の制御処理のフローチャートである。
【発明を実施するための形態】
【００１９】  以下、実施の形態を次の順序で説明する。＜１．プロジェクタ装置の構成＞＜２．第１の実施の形態＞＜３．第２の実施の形態＞＜４．第３、第４の実施の形態＞＜５．第５の実施の形態及び他の処理例＞＜６．まとめ及び変形例＞
【００２０】＜１．プロジェクタ装置の構成＞  実施の形態のプロジェクタ装置の構成を図１で説明する。図１はプロジェクタ装置の構成例を示す模式図である。  実施の形態のプロジェクタ装置４００は、光源装置１００と、光源装置１００から発せられる光を用いて画像を生成する画像生成ユニット２００と、画像生成ユニット２００で生成された画像光を投射する投射ユニット３００とを備える。
【００２１】  画像生成ユニット２００は、インテグレータ素子２１０、偏光変換素子２１５、集光レンズ２１６、ダイクロイックミラー２２０、２２２、ミラー２２６、２２７、２２８、リレーレンズ２５０、２６０を有する。  また、画像生成ユニット２００は、フィールドレンズ２３０（２３０Ｒ、２３０Ｇ、２３０Ｂ）、液晶ライトバルブ２４０Ｒ、２４０Ｇ、２４０Ｂ、ダイクロイックプリズム２７０を有する。
【００２２】  インテグレータ素子２１０は、全体として、光源装置１００から液晶ライトバルブ２４０Ｒ、２４０Ｇ及び２４０Ｂに照射される入射光を、均一な輝度分布に整える機能を有する。例えば、インテグレータ素子２１０は、二次元に配列された図示しない複数のマイクロレンズを有する第１のフライアイレンズ２１１、及び、その各マイクロレンズに１つずつ対応するように配列された複数のマイクロレンズを有する第２のフライアイレンズ２１２を含んでいる。
【００２３】  光源装置１００からインテグレータ素子２１０に入射する平行光は、第１のフライアイレンズ２１１のマイクロレンズによって複数の光束に分割され、第２のフライアイレンズ２１２における対応するマイクロレンズにそれぞれ結像される。第２のフライアイレンズ２１２のマイクロレンズのそれぞれが、二次光源として機能し、複数の平行光を偏光変換素子２１５に入射光として照射する。
【００２４】  偏光変換素子２１５は、インテグレータ素子２１０等を介して入射する入射光の、偏光状態を揃える機能を有する。この偏光変換素子２１５は、例えば光源装置１００の出射側に配置された集光レンズ２１６等を介して、青色光Ｂ３、緑色光Ｇ３、赤色光Ｒ３を含む出射光を出射する。
【００２５】  ダイクロイックミラー２２０及び２２２は、所定の波長域の色光を選択的に反射し、それ以外の波長域の光を透過させる性質を有する。  例えば、ダイクロイックミラー２２０は赤色光Ｒ３を選択的に反射する。ダイクロイックミラー２２２は、ダイクロイックミラー２２０を透過した緑色光Ｇ３及び青色光Ｂ３のうち、緑色光Ｇ３を選択的に反射する。  残る青色光Ｂ３が、ダイクロイックミラー２２２を透過する。これにより、光源装置１００から出射された光が、異なる色の複数の色光に分離される。
【００２６】  分離された赤色光Ｒ３は、ミラー２２６により反射され、フィールドレンズ２３０Ｒを通ることによって平行化された後、赤色光変調用の液晶ライトバルブ２４０Ｒに入射する。  緑色光Ｇ３は、フィールドレンズ２３０Ｇを通ることによって平行化された後、緑色光変調用の液晶ライトバルブ２４０Ｇに入射する。  青色光Ｂ３は、リレーレンズ２５０を通ってミラー２２７により反射され、さらにリレーレンズ２６０を通ってミラー２２８により反射される。ミラー２２８により反射された青色光Ｂ３は、フィールドレンズ２３０Ｂを通ることによって平行化された後、青色光変調用の液晶ライトバルブ２４０Ｂに入射する。
【００２７】  液晶ライトバルブ２４０Ｒ、２４０Ｇ、２４０Ｂは、画像情報を含んだ画像信号を供給する信号源（例えば図５で後述する駆動制御部１０）と電気的に接続されている。液晶ライトバルブ２４０Ｒ、２４０Ｇ、２４０Ｂは、供給される各色の画像信号に基づき、入射光を画素毎に変調し、それぞれ赤色画像、緑色画像、青色画像を生成する。変調された各色の光（形成された画像）は、ダイクロイックプリズム２７０に入射して合成される。ダイクロイックプリズム２７０は、３つの方向から入射した各色の光を重ね合わせて合成し、投射ユニット３００に向けて出射する。
【００２８】  投射ユニット３００は、複数のレンズ３１０等を有し、ダイクロイックプリズム２７０によって合成された光を図示しないスクリーンに照射する。これにより、フルカラーの画像が表示される。
【００２９】  続いて光源装置１００の構成例を説明する。  図２は光源装置１００を示す斜視図である。この光源装置１００は、青色波長域のレーザ光、及び、そのレーザ光によって励起される蛍光物質から生じる赤色波長域から緑色波長域の光を合成して白色光を出射するタイプの、プロジェクタ用の光源装置である。
【００３０】  図２に示すように、光源装置１００は、底部に設けられたベース１０１と、ベース１０１に固定される側壁部１０２とを有する。また光源装置１００は、側壁部１０２に接続される前面部１０３及び上面部１０４と、上面部１０４に接続される蓋部１０５とを有する。これら側壁部１０２、前面部１０３、上面部１０４及び蓋部１０５により、光源装置１００の筐体部１１０が構成される。  前面部１０３には光の出射端となる蛍光光コリメータレンズ１５７が配置されている。
【００３１】  筐体部１１０の内部には例えば図３に示すように、光源からの光を集光する２つの集光ユニット１３０が形成されている。２つの集光ユニット１３０が蛍光光学ユニット１５０の後方側に配置される。集光ユニット１３０は、光軸Ｃを対称にして配置される。  各集光ユニット１３０は、第１の波長域の励起光を出射する光源として、例えばレーザ光を出射するレーザ光源１３１を有する。レーザ光源１３１は例えば複数設けられている。  複数のレーザ光源１３１は、例えば、第１の波長域として４００ｎｍ以上５００ｎｍ以下の波長域内に発光強度のピーク波長を有する青色レーザ光Ｂ１を発振可能な青色レーザ光源である。レーザ光源１３１としては、レーザ光を発する光源でなく、ＬＥＤ等の他の固体光源が用いられてもよい。
【００３２】  複数のレーザ光源１３１は、実装基板１４１上に配置されている。  なお図では実装基板１４１上に電熱コイル１９０が配置されている例を示している。電熱コイル１９０は、各レーザ光源１３１に対する加熱が可能なように配置されている。  また図示していないが、例えば実装基板１４１に直接又は間接的に接触してヒートシンク４０（後述する図５参照）が配置される。ヒートシンク４０により各レーザ光源１３１で発生する熱の排熱が図られる。
【００３３】  各集光ユニット１３０では、各レーザ光源１３１の位置にそれぞれ対応してコリメータレンズ１４３が設けられている。コリメータレンズ１４３は、回転対称非球面レンズであり、各レーザ光源１３１から出射される青色レーザ光Ｂ１を略平行光束にする。
【００３４】  集光ユニット１３０にはまた、複数のレーザ光源１３１から出射された各レーザ光Ｂ１を所定の集光エリア（または集光ポイント）１０８に集光する集光光学系として、非球面ミラー１３５と、平面ミラー１３６とを有する。  非球面ミラー１３５は、複数のレーザ光源１３１からの出射光を反射して、平面ミラー１３６に集光する。非球面ミラー１３５により反射された出射光が上述のように所定の集光エリア１０８に集光するように、平面ミラー１３６は、その反射された出射光を反射する。後述するように蛍光光学ユニット１５０に含まれる蛍光体ユニットの蛍光体層１５３に集光エリア１０８が配置される。
【００３５】  図４Ａは蛍光光学ユニット１５０を模式的に示す。蛍光光学ユニット１５０は、蛍光体ユニット１５８及び蛍光光コリメータレンズ１５７を備える。
【００３６】  蛍光体ユニット１５８は、円盤状の回転板である透明基板１５１と、この透明基板１５１を回転させる駆動部としてのモータ１５２と、透明基板１５１の一面側に設けられた蛍光体層１５３とを含む。透明基板１５１は、蛍光体層１５３を支持する支持体として機能する。説明の便宜のため、透明基板１５１の両面のうち、青色レーザ光Ｂ１が入射する側の面を第１面とし、第１面の反対側の面を第２面とする。
【００３７】  図４Ｂ及び図４Ｃは、透明基板１５１の第１面及び第２面をそれぞれ示す平面図である。透明基板１５１の第１面には、反射防止層１５５が設けられている。蛍光体層１５３は、透明基板１５１の第２面側に設けられ、透明基板１５１と蛍光体層１５３との間にはダイクロイック層１５４（図４Ａ参照）が設けられている。
【００３８】  反射防止層１５５は、青色レーザ光Ｂ１を透過させてその反射を抑制する機能を有する。蛍光体層１５３には、反射防止層１５５、透明基板１５１及びダイクロイック層１５４を透過した青色レーザ光Ｂ１が励起光として入射する。  蛍光体層１５３は、励起光として入射した青色レーザ光Ｂ１の一部を透過（散乱して透過する光も含む）させ、残りを吸収する機能を有する。吸収した励起光により、蛍光体層１５３は、その励起光の波長域より長い第２の波長域を有する光を発生する。  蛍光体層１５３は、上記透過した青色光Ｂ２と、第２の波長域を有する光、ここでは赤色光Ｒ２及び緑色光Ｇ２を含む黄色光（例えば、ピーク波長が５００〜６００ｎｍ）とを合成してこれを出射する。すなわち、蛍光体層１５３は白色光を出射する。
【００３９】  ダイクロイック層１５４は、透明基板１５１を透過した青色レーザ光Ｂ１を透過させ、蛍光体層１５３で発生した黄色光を反射する機能を有する。ダイクロイック層１５４は、例えば誘電体の多層膜により形成される。
【００４０】  図４Ａに示すように、集光エリア１０８が、蛍光体層１５３が配置されている位置となるように、集光ユニット１３０及蛍光光学ユニット１５０の相対配置が設計される。  蛍光体層１５３の半径方向の幅は、その集光エリア１０８のスポットサイズより大きく設定される。ダイクロイック層１５４の半径方向の幅も、同様とされる。反射防止層１５５の半径方向の幅は、蛍光体層１５３の幅より大きく設定されているが、それと同じであってもよい。
【００４１】  モータ１５２の回転軸１５６は、これら各層が形成された透明基板１５１の中心に一致している。励起光が蛍光体層１５３に入射しているとき、モータ１５２が透明基板１５１を回転させることにより、励起光の照射位置が時間とともに、蛍光体層１５３に対して円周上を移動する。これにより、蛍光体層１５３における照射位置の温度上昇を抑制することができ、蛍光体層１５３の発光効率が低下することを防止できる。  また、蛍光体原子が励起光を吸収して発光するまでに多少時間（例えば数ｎｓｅｃ程度）が掛かり、その励起期間中に、次の励起光が蛍光体原子に照射されてもその励起光に対しては発光しない。しかしながら、本実施の形態では蛍光体層１５３の励起光の照射位置が時間とともに移動するので、励起光の照射位置には、励起されていない蛍光体原子が次々と配置されることになり、蛍光体層１５３を効率良く発光させることができる。このように、モータ１５２及び透明基板１５１は、蛍光体層１５３を時間とともに移動させる移動機構として機能する。
【００４２】  蛍光光コリメータレンズ１５７は、蛍光体層１５３から出射した光を実質的に平行光にする機能を有する。蛍光光コリメータレンズ１５７の光軸（図４Ａにおける光軸Ｃ）は、モータ１５２の回転軸１５６からずれた位置に配置されている。
【００４３】＜２．第１の実施の形態＞  例えば以上のような投射光学系の構造を備えたプロジェクタ装置４００として、第１の実施の形態を説明する。図５は第１の実施の形態のプロジェクタ装置４００の制御構成をブロック図で示したものである。  光源装置１００の内部は上記図２，図３，図４に示した通りであるが、図５においては実装基板１４１、レーザ光源１３１を有するレーザ光源アレイＡＲ、及び電熱コイル１９０のみを示している。  また画像生成ユニット２００、投射ユニット３００は図１に示したとおりであるが、二点鎖線で内部構成を省略して図示しており、液晶ライトバルブ２４０Ｒ、２４０Ｇ、２４０Ｂのみを示している。
【００４４】  プロジェクタ装置４００においては、駆動制御部１０として入力信号判定部１２、ライトバルブ制御部１３、固体光源制御部１４、光源電流制御部１５、電熱コイル制御部１６、ファン制御部１７、ヒートシンク制御部１８を有している。
【００４５】  また実施の形態のプロジェクタ装置４００は固体光源であるレーザ光源１３１の温度を調整するために各種の温度調整装置が搭載されている。図５では、温度調整装置の例としてヒートシンク４０（及びヒートシンク駆動部４１）、電熱コイル１９０、吸気ファン５１及び排気ファン５２を示している。  なお、温度調整装置としては、レーザ光源１３１の温度を調整することが可能なものを少なくとも１つ設けていればよい。またヒートシンク４０、電熱コイル１９０、吸気ファン５１及び排気ファン５２に限らず、変形例として後述するように多様な温度調整装置が考えられる。
【００４６】  電熱コイル１９０は、例えば図７Ｂに模式的に示すように、複数のレーザ光源１３１を有するレーザ光源アレイＡＲの周囲に配置される。この電熱コイル１９０が通電されることで、発生した熱がレーザ光源アレイＡＲに伝達され、レーザ光源１３１を加熱することができる。
【００４７】  ヒートシンク４０は、光源装置１００の所定位置に接触し、レーザ光源１３１から実装基板１４１上に伝達される熱を排出する機能を持つ。  特に本実施の形態では、ヒートシンク４０はヒートシンク駆動部４１によって可動式に配置されている。例えばヒートシンク４０は、光源装置１００に接触する状態と離間する状態との間を可動とされる。ヒートシンク駆動部４１はこのような移動動作のためのモータ或いはソレノイドなどの駆動部と、ヒートシンク４０を可動状態で保持する機構等により形成されている。
【００４８】  ヒートシンク４０の一端及び他端には吸気ファン５１と排気ファン５２が配置される。吸気ファン５１と排気ファン５２によって、例えばヒートシンク４０に表面積を広くするために設けられた凹凸状の放熱面の空間に、吸気ファン５１から排気ファン５２側に至る送風経路が形成されることで効率的な空冷構造が実現される。
【００４９】  図５の駆動制御部１０は、プロジェクタ装置４００による画像投射を実行させる制御を行う。  端子１１には図示しない画像ソース機器（例えばコンピュータ装置や画像再生装置等）から投影する画像の画像信号Ｓｉｎが供給される。  画像信号Ｓｉｎは、例えばＲ信号、Ｇ信号、Ｂ信号としての３系統の連続フレームの画像信号などとされる。もちろん他の信号方式で入力された画像信号をプロジェクタ装置４００内でＲ信号、Ｇ信号、Ｂ信号に変換して画像信号Ｓｉｎとしてもよい。
【００５０】  入力信号判定部１２は、画像信号Ｓｉｎについての判定処理を行う。本実施の形態では、判定処理として例えば画像信号Ｓｉｎの各フレーム画像についての輝度状態を判定し、全黒画像、全黒画像に近い低輝度画像、全白画像、全白画像に近い高輝度画像などの判定を行うことが想定される。これらの判定は、画像信号ＳｉｎとしてのＲ信号、Ｇ信号、Ｂ信号の信号値を解析することで可能である。  全黒画像や全白画像は、画像信号Ｓｉｎの信号値自体から判定できる。また実際の画像内容としては多様な輝度（階調）が含まれるが、全黒画像に近い低輝度画像や全白画像に近い高輝度画像などは、全画素の輝度平均値や支配的な輝度値の計算等を行い、全体として輝度レベルの中心が低輝度範囲にあるか、高輝度範囲にあるかの判定を行うことなどが考えられる。そして判定結果として判定情報Ｓ１を出力する。
【００５１】  判定情報Ｓ１の内容としては、次の（内容ａ）〜（内容ｄ）として示すような例が考えられる。（内容ａ）低輝度フレームであるか否かの情報（内容ｂ）低輝度フレーム／高輝度フレームの判定情報（内容ｃ）低輝度フレーム／中輝度フレーム／高輝度フレームの判定情報（内容ｄ）高輝度フレームであるか否かの情報などが考えられる。  またこれら（内容ａ）〜（内容ｄ）に全黒画像、全白画像であることを示す情報が含まれる場合もある。  低輝度フレームとは、例えばフレーム輝度値が或る第１の所定値未満のフレームである。全黒画像、もしくは全黒画像に近い暗い画像のフレームが相当する。  高輝度フレームとは、例えばフレーム輝度値が或る第２の所定値以上のフレームである。全白画像、もしくは全白画像に近い明るい画像のフレームが相当する。  第１の所定値と第２の所定値は同じ場合もあるし、異なる値の場合もある。  フレーム輝度値とは、例えばフレームの全画素の輝度の積算値、平均値、支配的な輝度値などである。
【００５２】  なお、入力信号判定部１２の処理能力によっては、１フレーム毎に判定を行うことは演算処理負担が大きくなる場合もある。そこで、複数フレーム間隔で輝度状態の判定を行うようにしてもよい。
【００５３】  画像信号Ｓｉｎは、入力信号判定部１２で判定処理を行われながら、ライトバルブ制御部１３に供給される。  ライトバルブ制御部１３は、画像信号ＳｉｎにおけるＲ信号に基づいて液晶駆動信号を生成し、液晶ライトバルブ２４０Ｒに供給して、液晶ライトバルブ２４０Ｒ上でＲ画像の生成を実行させる。  またライトバルブ制御部１３は、画像信号ＳｉｎにおけるＧ信号に基づいて液晶駆動信号を生成し、液晶ライトバルブ２４０Ｇに供給して、液晶ライトバルブ２４０Ｇ上でＧ画像の生成を実行させる。  さらにライトバルブ制御部１３は、画像信号ＳｉｎにおけるＢ信号に基づいて液晶駆動信号を生成し、液晶ライトバルブ２４０Ｂに供給して、液晶ライトバルブ２４０Ｂ上でＢ画像の生成を実行させる。  このように液晶ライトバルブ２４０Ｒ、２４０Ｇ、２４０Ｂを駆動することで、画像生成ユニット２００内で赤色光Ｒ３、緑色光Ｇ３、青色光Ｂ３が変調され、赤色画像、緑色画像及び青色画像が生成される。
【００５４】  一方、画像生成ユニット２００における赤色光Ｒ３、緑色光Ｇ３、青色光Ｂ３は、光源装置１００が発生している。光源装置１００に対しては固体光源制御部１４が各種制御を行う。固体光源制御部１４は例えばマイクロコンピュータにより構成される。  プロジェクタ装置４００による画像投影を行う際には、固体光源制御部１４は光源電流制御部１５にレーザ光源１３１の駆動を指示する。この指示に応じて光源電流制御部１５は、光源装置１００におけるレーザ光源１３１に発光動作を実行させるべく電流供給を行う。
【００５５】  また固体光源制御部１４は、電熱コイル制御部１６、ファン制御部１７、ヒートシンク制御部１８に所要の動作を指示する。特に固体光源制御部１４は、入力信号判定部１２での輝度状態の判定結果である判定情報Ｓ１に基づいて、動作指示を行う。
【００５６】  電熱コイル制御部１６は、電熱コイル１９０に対する通電のオン／オフを実行する。つまり電熱コイル制御部１６は、固体光源制御部１４からの指示に応じて、レーザ光源１３１に対する電熱コイル１９０による加熱動作をオン／オフする。
【００５７】  ファン制御部１７は、吸気ファン５１及び排気ファン５２の駆動をオン／オフする。つまりファン制御部１７は、固体光源制御部１４からの指示に応じて、レーザ光源１３１についての、吸気ファン５１及び排気ファン５２による冷却動作をオン／オフする。  なお、ファン制御部１７は吸気ファン５１と排気ファン５２を同時にオン／オフするものとしての例を述べるが、吸気ファン５１と排気ファン５２を個別にオン／オフできるようにしてもよい。  またそもそも吸気ファン５１と排気ファン５２の一方のみを配置する場合もある。
【００５８】  ヒートシンク制御部１８は、ヒートシンク駆動部４１の駆動機構（モータ）を駆動し、ヒートシンク４０を光源装置１００に対する接触状態と離間状態の間で変位させる。  ヒートシンク４０が光源装置１００に接触状態であると、排熱機能が適切に発揮される。ヒートシンク４０が離間状態とされるときは、その排熱機能が無くなる（もしくは弱くなる）ことになる。つまりヒートシンク駆動部４１は、固体光源制御部１４からの指示に応じて、レーザ光源１３１に対するヒートシンク４０による排熱効果を調整することになる。
【００５９】  ここで本実施の形態においてレーザ光源１３１に対する加熱又は冷却を行う温度調整装置を設けることの背景について述べておく。  プロジェクタ装置４００では、当然、投射映像の高画質化が望まれ、その１つとしてコントラスト比の向上が望まれる。  コントラスト比は光源及び光学系の能力により決まるが、固体光源の動作状態によっても影響を受ける。
【００６０】  図６に時間経過に伴うダイナミックコントラストの低下の様子を示している。  例えば全黒信号入力等による光源ディミング（固体光源への供給電流低下）時は、時間とともに固体光源温度が下がっていく。固体光源温度が下がると、固体光源の発光効率が上昇する。つまり固体光源温度が下がっていくことで発光効率が上がり続け、時間と共に表示輝度が高くなってしまう。  このため図６のように、最初に比較的高いコントラスト比であったものが、時間経過に伴って低下してしまう。
【００６１】  ところが、固体光源の発光効率がこのように温度の影響を受けることを考慮すると、動作環境により、よりコントラスト比の向上を実現することができる。  例えば黒画像の場合、温度上昇により発光効率を低下させ、また白画像の場合には温度低下により発光効率を上昇させる。すると、黒画像はより低輝度に、また白画像はより高輝度にすることができる。  即ち、例えば全黒画像信号の入力時、固体光源温度を上げて発光効率を下げるような動作をすれば黒輝度を下げコントラスト比の向上を実現できる。  また例えば全白画像信号の入力時、固体光源温度を下げて発光効率を上げるような動作をすれば白輝度を上げコントラスト比の向上を実現できる。  そこで本実施の形態では、表示画像の輝度状態の判定結果に応じて固体光源（レーザ光源１３１）の温度を調整する。
【００６２】  このための温度調整装置の動作例を説明する。  図７Ａは電熱コイル１９０を設けない場合、図７Ｂは電熱コイル１９０を設けた場合を示している。  なお、図ではレーザ光源アレイＡＲが直接ヒートシンク４０に接触しているように示しているが、これは模式的に示すもので、実際にはレーザ光源アレイＡＲが配設される実装基板１４１が直接又は或る部位を介して間接的にヒートシンク４０に接触される（図８，図９も同様）。
【００６３】  図７Ａのように電熱コイル１９０が設けられていない場合、レーザ光源アレイＡＲで発生する熱は周囲の空間に放熱される（実線矢印）とともに、ヒートシンク４０に伝えられ（破線矢印）、ヒートシンク４０から効率的に放熱される。従って特に光源ディミングなどで低輝度のレーザ発光を行っている場合は、温度が低下していくことも発生する。  図７Ｂのように電熱コイル１９０を例えばレーザ光源アレイＡＲの周囲に配設し、通電することで、レーザ光源アレイＡＲの加熱（破線矢印）が可能となる。
【００６４】  図８では吸気ファン５１と排気ファン５２による冷却の様子を示している。  図８Ａ、図８Ｂは吸気ファン５１と排気ファン５２を駆動している状態を、ヒートシンク４０の側面側と上面側から示したものである。  レーザ光源アレイＡＲからヒートシンク４０に熱が伝わる（実線矢印）。このときに吸気ファン５１からの送風（破線矢印）がヒートシンク４０の凹凸状空間に流れ、排気ファン５２によって排気される（斜線付加矢印）。つまりヒートシンク４０による効率的な放熱によりレーザ光源アレイＡＲの冷却が行われる。  一方、図８Ｃ、図８Ｄは吸気ファン５１と排気ファン５２を停止させた状態を、ヒートシンク４０の側面側と上面側から示したものである。  レーザ光源アレイＡＲからヒートシンク４０に伝わった熱（実線矢印）は、吸気ファン５１から排気ファン５２への送風がないために、ヒートシンク４０内にこもりやすく、冷却能力が低くなる。
【００６５】  図９は、ヒートシンク４０の接触／離間による温度調整の様子を示している。なお、吸気ファン５１、排気ファン５２は駆動されているとする。  図９Ａ、図９Ｂはレーザ光源アレイＡＲが直接的又は間接的にヒートシンク４０に接触しており、レーザ光源アレイＡＲで発生した熱は効率よくヒートシンク４０に伝わる（実線矢印）状態を、ヒートシンク４０の側面側と上面側から示している。  このときに吸気ファン５１からの送風（破線矢印）がヒートシンク４０の凹凸状空間に流れ、排気ファン５２によって排気される（斜線付加矢印）ためヒートシンク４０による効率的な放熱によりレーザ光源アレイＡＲの冷却が行われる。  一方、図９Ｃ、図９Ｄはヒートシンク４０が離間した状態をヒートシンク４０の側面側と上面側から示している。レーザ光源アレイＡＲで発生した熱はヒートシンク４０に伝わりにくい（実線矢印）。従って吸気ファン５１からの送風（破線矢印）がヒートシンク４０の凹凸状空間に流れ、排気ファン５２によって排気される（斜線付加矢印）としても、放熱される熱は少なく、レーザ光源アレイＡＲに対する冷却機能は低くなる。
【００６６】  本実施の形態では、これらの温度調整装置を利用してコントラスト比の向上のための制御を行う。このために例えば固体光源制御部１４が図１０の処理を行う。  図１０はプロジェクタ装置４００による画像投影を行う場合の処理例である。例えばユーザ操作、或いは外部装置からの制御などに応じて、プロジェクタ装置４００は画像投影を開始する。投影する画像は画像信号Ｓｉｎに基づく画像である。画像信号Ｓｉｎとしては、各種画像コンテンツやプレゼンテーション画像などとしての動画、静止画や、全白画像、全黒画像などである。
【００６７】  画像投影を開始する場合、固体光源制御部１４はステップＳ１０１で固体光源点灯指示を行う。即ち光源電流制御部１５に指示してレーザ光源１３１による発光を開始させる。  図１０の例では、通常はレーザ光源１３１の発光効率を低下させないように温度上昇を抑制するため、冷却を行うものとしている。  このため固体光源制御部１４はステップＳ１０２で電熱コイル制御部１６に指示して電熱コイル１９０をオフ状態とさせる（或いはオン指示を行わない）。  またステップＳ１０３で固体光源制御部１４はファン制御部１７にファン駆動を指示して、吸気ファン５１と排気ファン５２を駆動させる。  またステップＳ１０４で固体光源制御部１４はヒートシンク駆動部４１に指示して、ヒートシンク駆動部４１によってヒートシンク４０を光源装置１００に接触状態とさせる。つまりヒートシンク４０による排熱機能を有効に発揮させる状態とする。なお、この時点でヒートシンク４０が接触状態であれば、それを確認するのみでよい。
【００６８】  以上の制御によりプロジェクタ装置４００は、レーザ光源１３１の冷却を行いながら画像投影が実行される状態となっている。即ちレーザ光源１３１からの光に基づいて、投射ユニット３００から投射光が出射される。この場合、液晶ライトバルブ２４０Ｒ、２４０Ｇ、２４０Ｂは、ライトバルブ制御部１３からの液晶駆動信号によって画像が形成されているため、投射光が照射されるスクリーン上でカラー画像が形成される。
【００６９】  ステップＳ１０５で固体光源制御部１４は、投射終了、つまり画像投影の終了の指示を確認する。  投射継続中はステップＳ１０７に進む。固体光源制御部１４はステップＳ１０７で入力信号判定部１２からの判定情報Ｓ１を取得する。そしてステップＳ１０８で判定情報Ｓ１により、低輝度フレームが開始されたか否かを判定する。  例えば判定情報Ｓ１は入力された画像信号Ｓｉｎのフレーム毎、或いは間欠的なフレーム毎に入力信号判定部１２によって発生される。固体光源制御部１４は、画像投影開始後は、ステップＳ１０７，Ｓ１０８において判定情報Ｓ１の取得と低輝度フレームの開始を常時監視することになる。  そして固体光源制御部１４は、毎フレームタイミング、或いは数フレームタイミング毎に取得される判定情報Ｓ１から、低輝度フレームという判定が開始されたタイミングをステップＳ１０８で監視する。例えば前回の判定情報Ｓ１では低輝度フレームではないと判定されているが、今回の判定情報Ｓ１が低輝度フレームの判定に変化しているか否かを判定する。
【００７０】  なお、間欠的なフレームで判定情報Ｓ１が発生される場合、必ずしも正確に低輝度フレームの開始タイミング（開始フレーム）は判定できないが、開始タイミングはさほどの厳密さを要求するものではないため問題はない。
【００７１】  低輝度フレームの開始と判定されるタイミング以外は、固体光源制御部１４はステップＳ１０８からＳ１１２に進み、取得した判定情報Ｓ１から低輝度フレーム終了であるか否かを確認する。低輝度フレーム終了のタイミングでは、処理をステップＳ１０２に進め、それ以外の場合はステップＳ１０５に進む。
【００７２】  従って、まず画像投影開始から画像が低輝度フレームになったと判定されるまでの期間は、ステップＳ１０７→Ｓ１０８→Ｓ１１２→Ｓ１０５と進むことになり、温度調整装置の冷却機能状態（電熱コイルオフ、ファン駆動、ヒートシンク接触）を維持する。
【００７３】  低輝度フレーム開始が確認されると、固体光源制御部１４はステップＳ１０８からＳ１０９に進み、温度調整装置に加熱機能を発揮させる（冷却機能をオフとさせることを含む）。  ステップＳ１０９で固体光源制御部１４はファン制御部１７にファン駆動停止を指示して、吸気ファン５１と排気ファン５２を停止させる。  またステップＳ１１０で固体光源制御部１４はヒートシンク駆動部４１に指示して、ヒートシンク駆動部４１によってヒートシンク４０を光源装置１００にから離間した状態とさせる。つまりヒートシンク４０による排熱機能をオフ又は低下させる。  またステップＳ１１１で固体光源制御部１４は電熱コイル制御部１６に指示して電熱コイル１９０をオン状態とさせる。  このように加熱（冷却中止も含む）制御を行ってステップＳ１０５に戻る。
【００７４】  画像が低輝度フレームとなった後、低輝度フレームが継続している期間、即ちステップＳ１０７で取得する判定情報Ｓ１が低輝度フレームを示す状態が続いている期間は、固体光源制御部１４の処理はステップＳ１０７→Ｓ１０８→Ｓ１１２→Ｓ１０５と進むことになり、温度調整装置を加熱機能状態（電熱コイルオン、ファン停止、ヒートシンク離間）を維持する。
【００７５】  また画像信号Ｓｉｎにおいて低輝度フレームが終了するときは、固体光源制御部１４の処理がステップＳ１０７→Ｓ１０８→Ｓ１１２→Ｓ１０２と進むことになる。この場合固体光源制御部１４はステップＳ１０２，Ｓ１０３，Ｓ１０４で温度調整装置を冷却機能状態（電熱コイルオフ、ファン駆動、ヒートシンク接触）に切り替える。
【００７６】  なお、この図１０の処理例の場合、ステップＳ１０８，Ｓ１１２の判断を行うために、判定情報Ｓ１の内容は、上述の（内容ａ）（内容ｂ）（内容ｃ）のいずれかであって低輝度フレームであるか否かの判定結果が含まれていればよい。
【００７７】  ユーザ操作や外部装置からの指示などにより、或いは画像信号Ｓｉｎの無入力などに応じて画像投影は終了される。  投射終了時には固体光源制御部１４の処理はステップＳ１０５からＳ１０６に進み、投射終了のための処理を行う。即ち固体光源制御部１４は、光源電流制御部１５に固体光源消灯指示をしてレーザ光源１３１による発光を停止させる。  また固体光源制御部１４は温度調整動作の停止を指示する。ここでは特に冷却又は加熱のために動作をオンとする装置をオフとする。即ち固体光源制御部１４は電熱コイル制御部１６に指示して電熱コイル１９０をオフ状態とさせる。またファン制御部１７にファン駆動停止を指示して、吸気ファン５１と排気ファン５２を停止させる。  ヒートシンク４０については、接触状態でも離間状態でも特にかまわないが、固体光源制御部１４はヒートシンク制御部１８に初期状態にもどすように指示してもよい。初期状態とは接触状態であるとしてもよいし、離間状態であるとしてもよい。
【００７８】  以上の図１０の処理が行われることで、低輝度画像の投影中は、レーザ光源１３１に対する加熱機能が発揮される。従ってレーザ光源１３１の発光効率が低下され、画像の輝度をより暗く沈めることができる。  一方、低輝度画像ではない画像の投影中は、レーザ光源１３１に対する冷却機能が発揮される。従ってレーザ光源１３１の発光効率が上昇され、画像の輝度をより高め、明るい画像を投影することができる。
【００７９】  なお、加熱機能の「加熱」とは電熱コイル１９０のように、積極的に熱を加えることだけでなく、吸気ファン５１と排気ファン５２の停止やヒートシンク４０の離間のように、冷却機能をオフ（又は低下）させることも含むものとしている。  同様に冷却機能の「冷却」とは、吸気ファン５１と排気ファン５２の駆動やヒートシンク４０の接触のように積極的に排熱等を行うことだけでなく、電熱コイル１９０のオフなど、加熱を行わないことも含むものとしている。  図５，図１０の例では、この加熱や冷却を行う温度調整装置としれ電熱コイル１９０、ファン（吸気ファン５１と排気ファン５２）、ヒートシンク４０の３つを挙げたが、これらのうち１つ又は２つのみを用いる例も考えられる。  図１０のステップＳ１０２、Ｓ１０３、Ｓ１０４、又はステップＳ１０９、Ｓ１１０、Ｓ１１１は、搭載されている温度調整装置の種別に応じて実行されれば良い。
【００８０】  またステップＳ１０８の低輝度フレームの開始判定及びステップＳ１１２の低輝度フレームの終了判定は、実際には、一瞬だけ高輝度になったり、一瞬だけ低輝度フレームになるような場合における判定情報Ｓ１の変化を除外することが望ましい。ある程度低輝度フレームや高輝度フレームが継続する状況を検出して温度調整を行うことが適切なためである。
【００８１】＜３．第２の実施の形態＞  第２の実施の形態を図１１で説明する。なお図５と同一部分は同一符号を付して説明を省略する。  この図１１の構成例では実装基板１４１においてレーザ光源アレイＡＲの近傍に温度センサ６０を設けている。  また固体光源温度判定部２１を設けている。固体光源温度判定部２１は、温度センサ６０の検出値を入力し、現在のレーザ光源アレイＡＲの温度が適切であるか否か（加熱又は冷却による温度調整が必要であるか否か）を判断する。そして調整要否の判定情報Ｓ２を固体光源制御部１４に供給する。  特に固体光源温度判定部２１は、判定情報Ｓ１により、現在のフレームの輝度状態を確認し、それに応じて適切な温度状態になっているか否かを判定する。
【００８２】  この温度センサ６０及び固体光源温度判定部２１を備えた場合の処理例を図１２に示す。  なお、この図１２の処理例の場合、判定情報Ｓ１の内容は、上述の（内容ａ）（内容ｂ）（内容ｃ）のいずれかであって、低輝度フレームであるか否かの判定結果が含まれているとともに、全黒画像、全白画像を示す情報が含まれているものとする。  図１２において図１０と同一の処理については同一のステップ番号を付し、詳述を避ける。
【００８３】  画像投影開始時点からのステップＳ１０１〜Ｓ１０７の処理は図１０と同様である。  画像投影開始後、固体光源制御部１４は、ステップＳ１２０では、現在のフレーム（ステップＳ１０７で取得した判定情報Ｓ１に係るフレーム）が低輝度フレームであるか否かを確認する。  低輝度フレームであった場合、ステップＳ１０８で、現在のフレームが低輝度フレームの開始フレームであるか否かを確認する。  そして低輝度フレームの開始タイミングであると判定したら、固体光源制御部１４はステップＳ１０９，Ｓ１１０，Ｓ１１１で温度調整装置に加熱機能を発揮させる。
【００８４】  判定情報Ｓ１において低輝度フレームという判定が連続している期間は、ステップＳ１２０で低輝度フレームと判定され、かつステップＳ１０８で低輝度フレームの開始タイミングではないと判定されてステップＳ１４０に進む。つまり投影画像として全黒画像や全黒画像に近い暗い画像が表示されている場合である。  ステップＳ１４０で固体光源制御部１４は、現在のフレームが全黒画像であるか否かで処理を分岐する。全黒画像であるか否かは判定情報Ｓ１を参照して確認すればよい。
【００８５】  全黒画像である場合、固体光源制御部１４はステップＳ１４１で温度調整が必要であるか否かを確認する。これは固体光源温度判定部２１からの判定情報Ｓ２を確認する。  固体光源温度判定部２１は、全黒画像の場合におけるレーザ光源アレイＡＲの適切な過熱状態の温度を目標加熱温度として保持しており、判定情報Ｓ１によって現在、全黒画像であることを検知した際には、温度センサ６０の検出値により、現在のレーザ光源アレイＡＲの温度が目標加熱温度に達しているか否かを判定する。そして固体光源温度判定部２１はその判定結果（目標加熱温度に達しているか否か）を判定情報Ｓ２として固体光源制御部１４に供給する。  従って判定情報Ｓ２が「調整要」という情報であるときは、固体光源制御部１４はステップＳ１４１からＳ１４２に進み、強加熱処理を実行する。例えば所定時間だけ、電熱コイル制御部１６にコイル通電電流量を増加させ、加熱量をアップするように指示する。  判定情報Ｓ２が「調整不要」という情報であるときは、固体光源制御部１４はステップＳ１４２に進まずに、強加熱処理を実行しない。  このため、全黒画像の投影時には、目標加熱温度に達していなければ強加熱処理が行われ、レーザ光源アレイＡＲが目標加熱温度に到達するようにされる。従って全黒画像に合わせて、レーザ光源１３１の発光効率が適切に低下される。
【００８６】  ステップＳ１０７で取得した判定情報Ｓ１は低輝度フレームではないことを示している場合は、固体光源制御部１４の処理はステップＳ１２０からＳ１１２に進み、まず低輝度フレームの終了タイミングであるか否かが判定される。  そして画像信号Ｓｉｎにおいて連続していた低輝度フレームが終了するときは、固体光源制御部１４の処理がステップＳ１０７→Ｓ１２０→Ｓ１１２→Ｓ１０２と進むことになる。この場合、固体光源制御部１４はステップＳ１０２，Ｓ１０３，Ｓ１０４で温度調整装置を冷却機能状態（電熱コイルオフ、ファン駆動、ヒートシンク接触）に切り替えることでレーザ光源１３１の発光効率を上昇させる方向の制御を行う。
【００８７】  ステップＳ１０７で取得した判定情報Ｓ１が低輝度フレームではないことを示している場合において、低輝度フレーム終了タイミングでない場合、つまり低輝度でない画像が継続している期間はステップＳ１１２からＳ１３０に進む。  ステップＳ１３０で固体光源制御部１４は、現在のフレームが全白画像であるか否かで処理を分岐する。全白画像であるか否かは判定情報Ｓ１を参照して確認すればよい。
【００８８】  全白画像である場合、固体光源制御部１４はステップＳ１３１で温度調整が必要であるか否かを確認する。これは固体光源温度判定部２１からの判定情報Ｓ２を確認する。  固体光源温度判定部２１は、全白画像の場合におけるレーザ光源アレイＡＲの適切な冷却状態の温度を目標冷却温度として保持しており、判定情報Ｓ１によって現在、全白画像であることを検知した際には、温度センサ６０の検出値により、現在のレーザ光源アレイＡＲの温度が目標冷却温度に達しているか否かを判定する。そして固体光源温度判定部２１はその判定結果（目標冷却温度に達しているか否か）を判定情報Ｓ２として固体光源制御部１４に供給する。  従って判定情報Ｓ２が「調整要」という情報であるときは、固体光源制御部１４はステップＳ１３１からＳ１３２に進み、強冷却処理を実行する。例えば所定時間だけ、吸気ファン５１と排気ファン５２の回転数を上げるようにファン制御部１７に指示し、送風風量を増加させる。  判定情報Ｓ２が「調整不要」という情報であるときは、固体光源制御部１４はステップＳ１３２に進まずに、強冷却処理を実行しない。  このため、全白画像の投影時には、目標冷却温度に達していなければ強冷却処理が行われ、レーザ光源アレイＡＲが目標冷却温度に到達するようにされる。従って全白画像に合わせて、レーザ光源１３１の発光効率が適切に上昇させることができる。
【００８９】  ステップＳ１０５で画像投影の終了（投射終了）とされる場合は、ステップＳ１０６で投射終了のための処理を行う。この処理は図１０と同様である。
【００９０】  以上の図１２の処理によれば、図１０と同様に、低輝度画像の場合に加熱制御、それ以外には冷却制御が行われるが、特に全黒画像の場合には、目標加熱温度までの加熱が促進され、また全白画像の場合には、目標冷却温度までの冷却が促進される。これによって全黒画像の輝度をより低く、また全白画像の輝度をより高くすることができる。
【００９１】  なお、全黒画像や全白画像のときだけでなく、低輝度画像の場合に調整判定をしてもよい。即ちステップＳ１４０の処理を除くようにし、低輝度フレームが継続している期間は、低輝度フレーム用の目標加熱温度になるように、必要に応じて強化熱処理が行われるようにしてもよい。さらに、場合によっては加熱により温度が高くなりすぎるような場合に、冷却をおこなうようにしてもよい。  また低輝度画像ではない期間も、全白画像であるか否かに関わらず、調整判定してもよい。即ちステップＳ１３０を除くようにし、目標冷却温度に達しているか否かにより必要に応じて強冷却処理を行うようにしてもよい。
【００９２】＜４．第３、第４の実施の形態＞  第３の実施の形態の構成例を図１３に示す。  この図１３の構成例では、例えば画像生成ユニット２００内に、投射光の輝度を検出する輝度センサ６１を配置している。ここでいう投射光とは、液晶ライトバルブ２４０Ｒ、２４０Ｇ、２４０Ｂを通過して合成された画像光である。  なお、輝度センサ６１は投射ユニット３００内に設けてもよい。
【００９３】  また投射光輝度判定部２２を設け、投射光輝度判定部２２は、輝度センサ６１の検出値を入力し、現在の投射光の輝度が適切であるか否か（加熱又は冷却による温度調整が必要であるか否か）を判断する。そして調整要否の判定情報Ｓ２を固体光源制御部１４に供給する。特に投射光輝度判定部２２は、判定情報Ｓ１により、現在のフレームの輝度状態を確認し、それに応じて投射光が適切な輝度状態になっているか否かを判定する。
【００９４】  この構成の場合の処理例として、上述した図１２の処理を採用できる。即ち全黒画像の場合は、ステップＳ１４１で判定情報Ｓ２により調整が必要であるか否かを判定し、必要であればステップＳ１４２で強加熱処理を行う。  投射光輝度判定部２２は、全黒画像の場合における投射光の目標低輝度値を保持しており、判定情報Ｓ１によって現在、全黒画像であることを検知した際には、輝度センサ６１の検出値により、現在の投射光の輝度が目標低輝度値に達しているか否かを判定する。そしてその判定結果を判定情報Ｓ２として固体光源制御部１４に供給する。  従って判定情報Ｓ２が「調整要」という情報であるときは、固体光源制御部１４はステップＳ１４１からＳ１４２に進み、強加熱処理を実行する。
【００９５】  また全白画像の場合は、ステップＳ１３１で判定情報Ｓ２により調整が必要であるか否かを判定し、必要であればステップＳ１３２で強冷却処理を行う。  投射光輝度判定部２２は、全白画像の場合における投射光の目標高輝度値を保持しており、判定情報Ｓ１によって現在、全白画像であることを検知した際には、輝度センサ６１の検出値により、現在の投射光の輝度が目標高輝度値に達しているか否かを判定する。そしてその判定結果を判定情報Ｓ２として固体光源制御部１４に供給する。  従って判定情報Ｓ２が「調整要」という情報であるときは、固体光源制御部１４はステップＳ１３１からＳ１３２に進み、強冷却処理を実行する。
【００９６】  第４の実施の形態の構成例を図１４に示す。  この図１４の構成例では、例えば画像生成ユニット２００内に、照明光の輝度を検出する輝度センサ６２を配置している。ここでいう照明光とは、液晶ライトバルブ２４０Ｒ、２４０Ｇ、又は２４０Ｂに入射する前の光であり、赤色光Ｒ３、緑色光Ｇ３、青色光Ｂ３のいずれかまたはそれらの合成光である。  また照明光輝度判定部２３を設け、照明光輝度判定部２３は、輝度センサ６２の検出値を入力し、現在の照明光の輝度が適切であるか否か（加熱又は冷却による温度調整が必要であるか否か）を判断する。そして調整要否の判定情報Ｓ２を固体光源制御部１４に供給する。特に照明光輝度判定部２３は、判定情報Ｓ１により、現在のフレームの輝度状態を確認し、それに応じて照明光が適切な輝度状態になっているか否かを判定する。
【００９７】  この構成の場合の処理例としても、上述した図１２の処理を採用できる。即ち全黒画像の場合は、ステップＳ１４１で判定情報Ｓ２により調整が必要であるか否かを判定し、必要であればステップＳ１４２で強加熱処理を行う。  照明光輝度判定部２３は、全黒画像の場合における照明光の目標低輝度値を保持しており、判定情報Ｓ１によって現在、全黒画像であることを検知した際には、輝度センサ６２の検出値により、現在の照明光の輝度が目標低輝度値に達しているか否かを判定する。そしてその判定結果を判定情報Ｓ２として固体光源制御部１４に供給する。  従って判定情報Ｓ２が「調整要」という情報であるときは、固体光源制御部１４はステップＳ１４１からＳ１４２に進み、強加熱処理を実行する。
【００９８】  また全白画像の場合は、ステップＳ１３１で判定情報Ｓ２により調整が必要であるか否かを判定し、必要であればステップＳ１３２で強冷却処理を行う。  照明光輝度判定部２３は、全白画像の場合における照明光の目標高輝度値を保持しており、判定情報Ｓ１によって現在、全白画像であることを検知した際には、輝度センサ６２の検出値により、現在の照明光の輝度が目標高輝度値に達しているか否かを判定する。そしてその判定結果を判定情報Ｓ２として固体光源制御部１４に供給する。  従って判定情報Ｓ２が「調整要」という情報であるときは、固体光源制御部１４はステップＳ１３１からＳ１３２に進み、強冷却処理を実行する。
【００９９】  以上の第３，第４の実施の形態の場合、全黒画像の場合には、目標低輝度値が得られるまで加熱が促進され、また全白画像の場合には、目標高輝度値が得られるまで冷却が促進される。これによって全黒画像の輝度をより低く、また全白画像の輝度をより高くすることができる。
【０１００】＜５．第５の実施の形態及び他の処理例＞  第５の実施の形態は、画像の輝度状態を、低輝度画像、中輝度画像、高輝度画像に分け、それぞれの場合に応じて温度調整装置を機能させる例である。  図１５で固体光源制御部１４の処理例を説明する。
【０１０１】  なお、ヒートシンク４０は光源装置１００に固定されており、常時放熱機能を発揮しているものとする。  そして図１５の処理は、中輝度画像のときはヒートシンク４０のみを機能させ、低輝度画像の際には電熱コイル１９０をオンとして加熱を行い、高輝度画像のときは吸気ファン５１と排気ファン５２を駆動して冷却を行うという例とする。  なお、この図１５の処理例の場合、判定情報Ｓ１の内容は、上述の（内容ｃ）のように、低輝度フレーム／中輝度フレーム／高輝度フレームの判定情報であるとする。
【０１０２】  図１５において図１０と同一の処理については同一のステップ番号を付し詳細説明は避ける。  画像投影開始に応じてステップＳ１０１で固体光源制御部１４は固体光源点灯指示を行う。そしてステップＳ１６１で固体光源制御部１４は電熱コイル制御部１６に指示して電熱コイル１９０をオフ状態とさせる（或いはオン指示を行わない）。  またステップＳ１６２で固体光源制御部１４はファン制御部１７にファン駆動停止を指示して（或いは駆動指示を行わないことで）、吸気ファン５１と排気ファン５２を停止状態とさせる。
【０１０３】  ステップＳ１０５で投射終了の監視を行い、ステップＳ１０７で判定情報を取得することは図１０と同様である。  固体光源制御部１４は、毎フレームタイミング、或いは数フレームタイミング毎に取得される判定情報Ｓ１から、低輝度フレームという判定が開始されたタイミングをステップＳ１０８で監視する。  低輝度フレームの開始と判定されるタイミング以外は、固体光源制御部１４はステップＳ１０８からＳ１１２に進み、取得した判定情報Ｓ１から低輝度フレーム終了であるか否かを確認する。低輝度フレーム終了のタイミングでは、処理をステップＳ１６１に進め、それ以外の場合はステップＳ１５１に進む。
【０１０４】  ステップＳ１５１で固体光源制御部１４は、高輝度フレーム開始タイミングであるか否かを確認する。即ちステップＳ１０７で取得した判定情報Ｓ１が、今回から高輝度フレームであることを示すものとなったか否かである。  高輝度フレームの開始と判定されるタイミング以外は、固体光源制御部１４はステップＳ１５１からＳ１５２に進み、取得した判定情報Ｓ１から高輝度フレーム終了であるか否かを確認する。高輝度フレーム終了のタイミングでは、処理をステップＳ１６１に進め、それ以外の場合はステップＳ１０５に進む。
【０１０５】  従って次のような処理が行われる。  画像が低輝度フレームになったと判定されたときは、ステップＳ１０８からＳ１０９、Ｓ１１１に進み、温度調整装置に加熱機能を発揮させる。  つまりステップＳ１０９で固体光源制御部１４はファン制御部１７にファン駆動停止を指示して、吸気ファン５１と排気ファン５２を停止させる。  またステップＳ１１１で固体光源制御部１４は電熱コイル制御部１６に指示して電熱コイル１９０をオン状態とさせる。そしてステップＳ１０５に戻る。
【０１０６】  低輝度フレームが継続している期間は、ステップＳ１０７→Ｓ１０８→Ｓ１１２→Ｓ１５１→Ｓ１５２→Ｓ１０５と進むことになり、温度調整装置の加熱機能状態（電熱コイルオン、ファン駆動停止）を維持する。
【０１０７】  低輝度フレームが終了した際には、ステップＳ１０７→Ｓ１０８→Ｓ１１２→Ｓ１６１と進むことになり、温度調整装置による加熱機能状態（電熱コイルオン、ファン駆動停止）を終了させる。つまりこの場合は、ステップＳ１６１で電熱コイル制御部１６に指示して電熱コイル１９０をオフ状態とさせる。吸気ファン５１と排気ファン５２は停止されているため、ステップＳ１６２ではその停止状態を維持させる。
【０１０８】  画像が高輝度フレームになったと判定されたときは、ステップＳ１０７→Ｓ１０８→Ｓ１１２→Ｓ１５１→Ｓ１５３と進み、温度調整装置に冷却機能を発揮させる。  つまりステップＳ１５３で固体光源制御部１４はファン制御部１７にファン駆動を指示して、吸気ファン５１と排気ファン５２による送風を開始させる。  またステップＳ１５４で固体光源制御部１４は電熱コイル制御部１６に指示して電熱コイル１９０をオフ状態とさせる。そしてステップＳ１０５に戻る。
【０１０９】  高輝度フレームが継続している期間は、ステップＳ１０７→Ｓ１０８→Ｓ１１２→Ｓ１５１→Ｓ１５２→Ｓ１０５と進むことになり、温度調整装置の冷却機能状態（電熱コイルオフ、ファン駆動）を維持する。
【０１１０】  高輝度フレームが終了した際には、ステップＳ１０７→Ｓ１０８→Ｓ１１２→Ｓ１５１→Ｓ１５２→Ｓ１６１と進むことになり、温度調整装置による冷却機能状態（電熱コイルオフ、ファン駆動）を終了させる。つまりこの場合はステップＳ１６１では電熱コイルオフ状態を維持させ、ステップＳ１６２でファン制御部１７に指示して吸気ファン５１と排気ファン５２を停止させる。
【０１１１】  中輝度フレームと判定されているときは、ステップＳ１６１，Ｓ１６２で初期状態（電熱コイルオフ、ファン駆動停止）とされている状態のまま、ステップＳ１０７→Ｓ１０８→Ｓ１１２→Ｓ１５１→Ｓ１５２→Ｓ１０５のループを行うことになる。
【０１１２】  投射終了時には固体光源制御部１４の処理はステップＳ１０５からＳ１０６に進み、投射終了のための処理を行う。即ち固体光源制御部１４は、光源電流制御部１５に固体光源消灯指示をしてレーザ光源１３１による発光を停止させる。  また固体光源制御部１４は温度調整動作の停止を指示する。つまり固体光源制御部１４は電熱コイル制御部１６に指示して電熱コイル１９０をオフ状態とさせる。またファン制御部１７にファン駆動停止を指示して、吸気ファン５１と排気ファン５２を停止させる。
【０１１３】  以上の図１５の処理が行われることで、低輝度画像の投影中は、レーザ光源１３１に対する加熱機能が発揮される。従ってレーザ光源１３１の発光効率が低下され、画像の輝度をより暗く沈めることができる。  一方、高輝度画像の投影中は、レーザ光源１３１に対する冷却機能が発揮される。従ってレーザ光源１３１の発光効率が上昇され、画像の輝度をより高め、明るい画像を投影することができる。
【０１１４】  以上、第１〜第５の実施の形態としての処理例を述べたが、処理例は更に多様に考えられる。  例えば高輝度画像の場合に温度調整装置に冷却機能を発揮させるのみの処理例が考えられる。  また全黒画像のときのみ加熱機能を発揮させる処理例や、全白画像のときのみ冷却機能を発揮させる処理例も考えられる。  特に各処理例を適用する場合に、入力信号判定部１２が、全黒画像（全黒画像フレーム）のみを低輝度画像（低輝度フレーム）と判定したり、全白画像（全白画像フレーム）のみを高輝度画像（高輝度フレーム）と判定するようにしてもよい。
【０１１５】＜６．まとめ及び変形例＞  以上の実施の形態では以下の効果が得られる。  第１〜第５の実施の形態のプロジェクタ装置４００は、レーザ光源１３１やＬＥＤ等の固体光源を用いた光源装置１００と、少なくとも固体光源の温度を上昇させる状態とすることができる温度調整装置と、投射する画像の輝度状態を判定する判定部（入力信号判定部１２）と、判定結果に基づいて温度調整装置を制御する制御部（固体光源制御部１４）とを備える。  温度調整装置として電熱コイル１９０、ファン（吸気ファン５１と排気ファン５２）、ヒートシンク駆動部４１及びヒートシンク４０を挙げたが、これらは少なくとも固体光源の温度上昇を促進、もしくは固体光源自体の温度上昇を許容する状態にすることができるものである。そして投射する画像の輝度状態が例えば低輝度状態など所定状態であるときには、固体光源の温度を上昇させ、発光効率を低下させるようにしている。  投射する画像の輝度状態の判定結果に基づいて、固体光源の温度状態を制御することで、画像に応じて固体光源の発光効率を調整できる。そして発光効率を低下させることで輝度を効果的に下げることができる。例えば黒画像の輝度をより低下させることでコントラスト比の向上を実現できる。
【０１１６】  なお実施の形態では入力信号判定部１２と固体光源制御部１４は別のブロックとして示したが、１つのマイクロコンピュータ、ＣＰＵ（Central Processing Unit）、ＤＳＰ（Digital Signal Processor）内の処理機能として一体的に実現されても良い。
【０１１７】  また第１〜第５の実施の形態のプロジェクタ装置４００は、光源装置１００から発せられる光を用いて画像を生成する画像生成ユニット２００と、画像生成ユニット２００で生成された画像を投射する投射ユニット３００とを備えている。  そして固体光源制御部１４は、入力信号判定部１２による、投射する画像として画像生成ユニット２００で生成する画像の輝度状態を、画像信号Ｓｉｎを解析して判定し、その判定結果に基づいて温度調整装置を制御している。  画像生成ユニット２００において生成される画像に対して固体光源からの出射光を照射し投射光を生成する構造とする場合において、投射する画像の輝度状態が所定状態であるときには、固体光源の温度を上昇させ、発光効率を低下させる。  これによりプロジェクタ装置４００としての一般的な構造において、光源装置１００の発光効率の低下によるコントラスト比の向上を実現できる。
【０１１８】  第１〜第５の実施の形態では、固体光源制御部１４は、投射する画像が低輝度画像であると判定された場合に、温度調整装置を、固体光源の温度を上昇させる状態とするように制御している（図１０、図１２、図１５のＳ１０９，Ｓ１１０，Ｓ１１１）。  即ち低輝度の画像の場合に固体光源の温度を上昇させ、発光効率を低下させる。  画像が低輝度、例えば全黒画像や全黒に近い低輝度画像のときに温度調整装置により固体光源の温度を上昇させ、発光効率を低下させることで、より低輝度の黒画像を実現できる。これによってコントラスト比を大幅に向上させることができる。
【０１１９】  第１〜第５の実施の形態では、入力信号判定部１２は、投射する画像が全黒画像である場合に、低輝度画像と判定することとした。  即ち全黒画像の場合に固体光源の温度を上昇させ、発光効率を低下させる。  これにより全黒画像の場合に深く沈んだ黒画像を実現でき、コントラスト比を大幅に向上させることができる。
【０１２０】  第１〜第５の実施の形態では、固体光源制御部１４は、投射する画像が少なくとも低輝度画像ではないと判定された場合に、温度調整装置を、固体光源の温度を低下させる状態とするように制御している（図１０及び図１２のＳ１０２，Ｓ１０３，Ｓ１０４、図１５のＳ１５３，Ｓ１５４）。  即ち低輝度の画像ではない場合に固体光源の温度上昇を回避させ、発光効率を上昇させる。画像が低輝度ではない場合、発光効率を低下させないようにする、もしくは発光効率を上昇させることで、より鮮やかな高輝度の画像を実現できる。これもコントラスト比の向上に大きく寄与する。  第５の実施の形態のように、低輝度画像ではないという判定に加え、さらにあるレベル以上の高輝度画像と判定したときに冷却するようにしても有効である。
【０１２１】  第１〜第５の実施の形態では、固体光源制御部１４は、投射する画像が全白画像である場合に、温度調整装置を、固体光源の温度を低下させる状態とするように制御するものとした（図１０及び図１２のＳ１０２，Ｓ１０３，Ｓ１０４、図１５のＳ１５３，Ｓ１５４）。  全白画像の場合に固体光源の温度上昇を回避させ、発光効率を上昇させることで、全白画像の場合に、より高輝度の画像を実現でき、コントラスト比の向上を実現できる。
【０１２２】  第１〜第５の実施の形態の入力信号判定部１２は、投射画像を生成するための画像信号Ｓｉｎのフレーム単位で、投射する画像の輝度状態を判定している。即ち画像信号Ｓｉｎの各フレーム、又は間欠的なフレームとして、フレーム単位で輝度信号値（階調値）を解析し、そのフレームの画像が低輝度画像であるか否かを判定している。  これにより画像が全黒画像、或いは全黒に近い画像などの低輝度画像をリアルタイムに判定し、そのときの状況に応じて温度調整装置を適切に制御できる。
【０１２３】  第２の実施の形態では、固体光源制御部１４は、固体光源の温度状態を検出する温度センサ６０の検出出力に基づいて、温度調整装置の動作を制御している（図１０のステップＳ１４２，Ｓ１３２）。  固体光源の温度を検出することで、現在の固体光源の温度に応じて、発光効率の維持・上昇・低下のために適切な温度調整を実行でき、これにより画像に応じた発光効率制御を精度良く実行できる。  なお、全黒画像や全白画像ではない場合でも、温度センサ６０の検出出力に基づく制御を行うようにしても良い。
【０１２４】  第３，第４の実施の形態のでは、固体光源制御部１４は、画像生成ユニット２００又は投射ユニット３００に配置された輝度センサ（６１，６２）によって検出した照明光又は投射光の輝度の検出出力に基づいて、温度調整装置の動作を制御している（図１０のステップＳ１４２，Ｓ１３２）。  照明光又は投射光の輝度を検出し、現在の輝度に応じて、発光効率の維持・上昇・低下のために適切な温度調整を実行することで、画像に応じた発光効率制御を精度良く実行できる。
【０１２５】  実施の形態では温度調整装置の１つとして固体光源を加熱する電熱コイル１９０を設けた。電熱コイルにより固体光源を加熱し、固体光源の発光効率を低下させることができるが、特に電熱コイルの場合、応答性の良い加熱が可能であり、例えば全黒画像の場合の輝度低下を反応よく実現できる。  また温度調整装置の１つとして、固体光源に対応するヒートシンク４０を固体光源からの熱伝導を低下させるように移動させるヒートシンク駆動部４１を例示した。ヒートシンクを移動させて、ヒートシンクへの熱伝導効率を制御することで、固体光源からの放熱能力を可変させ、温度調整ができる。  また温度調整装置の１つとして、吸気ファン５１と排気ファン５２を示したが、ファンによる空冷機能により、応答性の良い冷却が可能であり、例えば全白画像の場合の輝度上昇を反応よく実現できる。
【０１２６】  温度調整装置としてはこれら以外にも各種考えられる。  光源装置１００の筐体内の送風経路を切り替えることで、固体光源への送風経路が切り替えられるようにして空冷機能を増減させるようにしてもよい。  また送風経路における一部、例えば排熱孔の開閉などにより空冷機能をオン／オフすることも考えられる。  またペルチェ素子を使用し、温度を調整することが考えられる。  また固体光源を液浸させ、液冷により温度を調整することが考えられる。  また固体光源に電磁波を当て、温度を調整することが考えられる。電磁波としては、ガンマ線，Ｘ線，紫外線，可視光線，赤外線，サブミリ波，ミリ波，センチ波，極超短波，超短波，短波，中波，長波，超長波，超低周波等が考えられる。  また、光源装置１００の筐体をボックス（例えば防塵ボックス等）で囲み、ボックス内に冷暖房装置を装着し、温度を調整することが考えられる。
【０１２７】  なお、温度調整装置としては少なくとも固体光源の温度を上昇させる状態とすることができるものであるが、これは温度を保持する温度調整装置も含む。即ち温度が下降する状況が生じても結果的に温度を保持することができる温度調整装置も、固体光源の温度を上昇させる状態とすることができるものに含まれる。  例えばレーザ光源やＬＥＤの出力レベルを低下させることで、固体光源の温度低下が進行する状況で加熱を行ったり、或いは保熱を行ったりすることで、結果的には固体光源の温度を維持するような装置であってもよい。例えば全黒画像、低輝度画像の表示の際には、温度低下による発光効率上昇を回避することで、黒画像の輝度が上がらないようにし、コントラスト比の低下を防止できる。従って結果的に温度が上昇されなくとも、少なくとも温度が保持されるように温度調整装置を機能させればコントラスト維持による画像品質の向上に有効である。つまり温度調整装置は固体光源の温度の上昇又は温度保持を実現できる装置であればよい。
【０１２８】  実施の形態のプロジェクタ装置４００は、ビジネス用途のプロジェクタやホームシネマ用プロジェクタ、デジタルシネマ用プロジェクタのそれぞれに好適である。  ビジネス用途のプロジェクタの場合、投射光がプレゼンテーション資料等の静止画が多く、階調変化が激しい（白→黒→白…）。この場合、温度調整による輝度調整による、画質改善効果が高いものとなる。従って電熱コイル／ファン／可動ヒートシンク等による温度調整動作を急峻に行うことが望ましい。  またホームシネマ用プロジェクタやデジタルシネマ用プロジェクタの場合、投射光が映画等の動画が多く、急峻な動作は画質低下を招く恐れがある。そこで電熱コイル／ファン／可動ヒートシンク等による温度調整動作は徐々に行うことが望ましい。
【０１２９】  実施の形態は液晶ライトバルブを用いたプロジェクタ装置の例で述べたが、本開示の技術はＤＬＰ（デジタル・ライト・プロセッシング）方式のプロジェクタ装置であっても固体光源を使用したプロジェクタ装置であれば好適に適用できる。
【０１３０】  なお、本明細書に記載された効果はあくまでも例示であって限定されるものではなく、また他の効果があってもよい。
【０１３１】  なお本技術は以下のような構成も採ることができる。  （１）固体光源を用いた光源装置と、  少なくとも前記固体光源の温度を上昇させる状態とすることができる温度調整装置と、  画像の輝度状態を判定する判定部と、  前記判定部の判定結果に基づいて前記温度調整装置を制御する制御部と、を備えた  プロジェクタ装置。  （２）前記光源装置から発せられる光を用いて画像を生成する画像生成ユニットと、  前記画像生成ユニットで生成された画像を投射する投射ユニットと、を備え、  前記制御部は、前記判定部による、投射する画像として前記画像生成ユニットで生成する画像の輝度状態の判定結果に基づいて前記温度調整装置を制御する  上記（１）に記載のプロジェクタ装置。  （３）前記制御部は、画像が低輝度画像であると前記判定部により判定された場合に、前記温度調整装置を、前記固体光源の温度を上昇させる状態とするように制御する  上記（１）又は（２）に記載のプロジェクタ装置。  （４）前記判定部は、画像が全黒画像である場合に、低輝度画像と判定する  上記（３）に記載のプロジェクタ装置。  （５）前記制御部は、画像が少なくとも低輝度画像ではないと前記判定部により判定された場合に、前記温度調整装置を、前記固体光源の温度を低下させる状態とするように制御する  上記（１）乃至（４）のいずれかに記載のプロジェクタ装置。  （６）前記制御部は、画像が全白画像と前記判定部により判定された場合に、前記温度調整装置を、前記固体光源の温度を低下させる状態とするように制御する  上記（１）乃至（４）のいずれかに記載のプロジェクタ装置。  （７）前記判定部は、投射画像を生成するための画像信号のフレーム単位で、画像の輝度状態を判定する  上記（１）乃至（６）のいずれかに記載のプロジェクタ装置。  （８）前記制御部は、前記固体光源の温度状態を検出する温度センサの検出出力に基づいて、前記温度調整装置の動作を制御する  上記（１）乃至（７）のいずれかに記載のプロジェクタ装置。  （９）前記制御部は、前記画像生成ユニット又は前記投射ユニットに配置された輝度センサによって検出した照明光又は投射光の輝度の検出出力に基づいて、前記温度調整装置の動作を制御する  上記（２）に記載のプロジェクタ装置。  （１０）前記温度調整装置の１つとして、前記固体光源を加熱する電熱コイルが設けられる  上記（１）乃至（９）のいずれかに記載のプロジェクタ装置。  （１１）前記温度調整装置の１つとして、前記固体光源に対応するヒートシンクを、前記固体光源からの熱伝導を低下させるように移動させるヒートシンク駆動部を備える  上記（１）乃至（１０）のいずれかに記載のプロジェクタ装置。  （１２）固体光源を用いた光源装置を備えるプロジェクタ装置の制御方法として、  画像の輝度状態を判定し、  前記判定の判定結果に基づいて、少なくとも前記固体光源の温度を上昇させる状態とすることができる温度調整装置を制御する  制御方法。
【符号の説明】
【０１３２】  １０…駆動制御部、１１…入力端子、１２…入力信号判定部、１３…ライトバルブ制御部、１４…固体光源制御部、１５…光源電流制御部、１６…電熱コイル制御部、１７…ファン制御部、１８…ヒートシンク制御部、２１…固体光源温度判定部、２２…投射光輝度判定部、２３…照明光輝度判定部、４０…ヒートシンク、４１…ヒートシンク駆動部、５１…吸気ファン、５２…排気ファン、６０…温度センサ、６１…輝度センサ、６２…輝度センサ、１００…光源装置、１３１…レーザ光源、１４１…実装基板、１９０…電熱コイル、２００…画像生成ユニット、２４０Ｒ，２４０Ｇ，２４０Ｂ…液晶ライトバルブ、３００…投射ユニット、４００…プロジェクタ装置、ＡＲ…レーザ光源アレイ
【図１】
2018008246.tif 000003
【図２】
2018008246.tif 000004
【図３】
2018008246.tif 000005
【図４】
2018008246.tif 000006
【図５】
2018008246.tif 000007
【図６】
2018008246.tif 000008
【図７】
2018008246.tif 000009
【図８】
2018008246.tif 000010
【図９】
2018008246.tif 000011
【図１０】
2018008246.tif 000012
【図１１】
2018008246.tif 000013
【図１２】
2018008246.tif 000014
【図１３】
2018008246.tif 000015
【図１４】
2018008246.tif 000016
【図１５】
2018008246.tif 000017
【国際調査報告】
2018008246.tif 000018
2018008246.tif 000019
2018008246.tif 000020
2018008246.tif 000021